(57)【要約】【課題】トイレブースＴの開口部に設けられる開き戸用ドアパネル３に設けられる錠装置Ｌにおいて、スライドボルト６の左右移動ストロークが短いものであっても、ストライク７に確実に外嵌係止できるようにする。【解決手段】ドアパネル３は、裏面板３ｂに段差Ｄを存する状態で重合する重合部４ｃが形成された第一エッジ部材４が設けられたものである場合に、該裏面板３ｂに、前記段差Ｄを吸収してスライドボルト６のベース部６ａが重合部４ｃの積層位置まで配置できるようにするための第一スペーサー９が設けられている。【選択図】図４
2019027100.tif 000002
【特許請求の範囲】
【請求項１】
開き戸用のドアパネルの面板に、左右スライド移動自在なスライドボルトをベース部を介して取り付け、戸先パネルの面板に、ドアパネルを閉鎖した状態で、戸先パネル側にスライド移動したスライドボルトが係合して施錠するためのストライクを設けて構成した錠装置において、前記ドアパネルには、スライドボルトが取り付けられる側の面板に段差を存する状態で重合する重合部が形成されたエッジ部材が設けられ、ドアパネルの面板には、前記段差を吸収してベース部が重合部積層位置まで配置可能にするためのスペーサーが設けられていることを特徴とする錠装置。
【請求項２】
前記スペーサーは、スライドボルトを操作する操作手の指先がドアパネルの面板に当接するのを防止するためベース部の周縁から延出する延出部が設けられたものであることを特徴とする請求項１記載の錠装置。
【請求項３】
前記スペーサーは、前記段差と同厚に設定されていることを特徴とする請求項１又は２記載の錠装置。
【請求項４】
ストライクは、戸先パネルの面板に第二のベース部を介して取り付けられ、戸先パネルは、第二のベース部が取り付けられる側の面板に段差を存する状態で重合する第二の重合部が形成された第二のエッジ部材が設けられたものとし、戸先側パネルの面板には、前記第二の重合部の段差を吸収して第二のベース部が第二の重合部積層位置まで配置可能にするための第二のスペーサーが設けられていることを特徴とする請求項１乃至３の何れか一記載の錠装置。
【請求項５】
ドアパネルのスライドボルトが取り付けられる側とは反対側の面板には、該ドアパネルを少なくとも開放するための手掛けが設けられたものであり、ドアパネルの前記反対側の面板には、ドアパネルの開放操作をするための操作手の指先がドアパネルの前記反対側の面板に当接するのを防止するための第三のスペーサーが設けられていることを特徴とする請求項１乃至４の何れか一記載の錠装置。
【発明の詳細な説明】
【技術分野】
【０００１】
本発明は、トイレブース等の出入り口を開閉する開き戸用の錠装置の技術分野に関するものである。
【背景技術】
【０００２】
従来、公共施設やショッピング施設等の各種施設に設置されるトイレブースとしては、使用者層などに応じて種々のデザイン、機能のものが採用されているが、これらトイレブースのドアパネル、錠装置においても同様である。
このようなもののなかには、開き戸用のドアパネルにおいて、該ドアパネルの面板に、左右スライド移動自在なスライドボルトをベース部を介して取り付ける一方、戸先パネルの面板に、ドアパネルを閉鎖した状態で、戸先パネル側にスライド移動したスライドボルトが係合して施錠するためのストライクを設けた錠装置が知られている（例えば特許文献１、２参照。）。
【先行技術文献】
【特許文献】
【０００３】
【特許文献１】特開２００２−３４９１０７号公報
【特許文献２】特開２００５−３６５７５号公報
【発明の概要】
【発明が解決しようとする課題】
【０００４】
ところでこのような開き戸において、ドアパネルと戸先パネルとの各対向端縁部にそれぞれエッジ部材を設けて該対向端縁部の外観性を向上させるとともにドアパネルを閉じたときに対向間のチリ部位の閉鎖をすることが試みられている。
このようなエッジ部材の中には、前記従来に示されるように、ドアパネルの表裏面板に段差を存する状態で重合する重合部が形成されたものがあり、このようなものに前記錠装置を取り付ける場合において、スライドボルトのスライド移動長さが十分に確保されていて、施錠したときにスライドボルトが確実にストライクに係合するものであるものでは、スライドボルトをドアパネルの面板に取り付けるためのベース部を、前記重合部に干渉することがない状態で問題なく取り付けることができる。
しかしながら、スライドボルトのスライド移動長が短いため、施錠したときにスライドボルトのストライクへの係止が不十分であったりするような係止不良状態になる場合があり、このような場合に、スライドボルトは、ベース部を戸先側に移動する取り付けとなるが、前記段差状の重合部があるため、該重合部が邪魔になって重合部に当接する位置までにしか戸先パネル側に移動取り付けができないことになり、このような取り付けをしても未だスライドボルトのストライクへの係合が不十分な場合には、施錠してもストライクの一部が露見して使用者が不安に感じてしまうことがあるだけでなく、ひどいときには施錠不良となってしまうという問題が発生することが想定され、ここに本発明が解決せんとする課題があった。
【課題を解決するための手段】
【０００５】
本発明は、上記の如き実情に鑑みこれらの課題を解決することを目的として創作されたものであって、請求項１の発明は、開き戸用のドアパネルの面板に、左右スライド移動自在なスライドボルトをベース部を介して取り付け、戸先パネルの面板に、ドアパネルを閉鎖した状態で、戸先パネル側にスライド移動したスライドボルトが係合して施錠するためのストライクを設けて構成した錠装置において、前記ドアパネルには、スライドボルトが取り付けられる側の面板に段差を存する状態で重合する重合部が形成されたエッジ部材が設けられ、ドアパネルの面板には、前記段差を吸収してベース部が重合部積層位置まで配置可能にするためのスペーサーが設けられていることを特徴とする錠装置である。
請求項２の発明は、前記スペーサーは、スライドボルトを操作する操作手の指先がドアパネルの面板に当接するのを防止するためベース部の周縁から延出する延出部が設けられたものであることを特徴とする請求項１記載の錠装置である。
請求項３の発明は、前記スペーサーは、前記段差と同厚に設定されていることを特徴とする請求項１又は２記載の錠装置である。
請求項４の発明は、ストライクは、戸先パネルの面板に第二のベース部を介して取り付けられ、戸先パネルは、第二のベース部が取り付けられる側の面板に段差を存する状態で重合する第二の重合部が形成された第二のエッジ部材が設けられたものとし、戸先側パネルの面板には、前記第二の重合部の段差を吸収して第二のベース部が第二の重合部積層位置まで配置可能にするための第二のスペーサーが設けられていることを特徴とする請求項１乃至３の何れか一記載の錠装置である。
請求項５の発明は、ドアパネルのスライドボルトが取り付けられる側とは反対側の面板には、該ドアパネルを少なくとも開放するための手掛けが設けられたものであり、ドアパネルの前記反対側の面板には、ドアパネルの開放操作をするための操作手の指先がドアパネルの前記反対側の面板に当接するのを防止するための第三のスペーサーが設けられていることを特徴とする請求項１乃至４の何れか一記載の錠装置である。
【発明の効果】
【０００６】
そして請求項１の発明とすることにより、ベース部を、エッジ部材の重合部積層位置まで配置した取り付けが可能になって、スライドボルトを、前記重合部に積層した分、戸先パネル寄りに取り付けられることになって、ストロークの小さいスライドボルトでも十分に施錠の確実性を確保することができる。
請求項２の発明とすることにより、錠操作時にドアパネルの表面が指先で損傷するのを防止することができる。
請求項３の発明とすることにより、スペーサーが段差と同厚である結果、ベース部は重合部とスペーサーとが面一となった部位に取り付けることができることになって施工性が向上する。
請求項４の発明とすることにより、ストライクを、スライドボルトに近接する状態で取り付けることができて、移動ストロークのより小さなスライドボルトでも十分な施錠性を確保することができる。
請求項５の発明とすることにより、ドアパネルを開放するための手掛けが設けられた側の面板が指先により損傷するのを防止することができる。
【図面の簡単な説明】
【０００７】
【図１】ドアパネルの正面全体図である。
【図２】（Ａ）は錠装置の背面図、（Ｂ）は手掛け部の正面図である。
【図３】（Ａ）（Ｂ）はドアパネルの要部の横断面図、縦断面図である。
【図４】錠装置の要部拡大横断面図である。
【図５】第二の実施の形態の錠装置における（Ａ）は横断面図、（Ｂ）は縦断面図である。
【発明を実施するための形態】
【０００８】
以下、本発明の第一の実施の形態について、図面に基づいて説明する。図面において、トイレブースＴは、戸先パネル１、戸尻パネル２、該戸先パネル１と戸尻パネル２との間に形成される出入り口に蝶番３ｄを介して開閉自在に設けられる開き戸式のドアパネル３等の部材を備えて構成されるが、これらの構成はいずれも従来通りであるため、その詳細な説明は省略する。因みに、本実施の形態のトイレブースＴは単品であるが、複数を隣接する状態で連続的に組み合わせたもの等、種々の組み合わせのものについても実施することができる。
【０００９】
本実施の形態において、ドアパネル３の戸先側端縁部（戸先パネル１側端縁部）、戸先パネル１の戸尻側端縁部（ドアパネル３側端縁部）には、上下方向全長に亘って第一のエッジ部材４、第二のエッジ部材５がそれぞれ設けられているが、該第一エッジ部材４は、ドアパネル３の戸先側端縁３ｃに対向する状態で戸先側に突出する凸部（見込部）４ａと、ドアパネル３の表裏面板３ａ、３ｂにそれぞれ重合する状態で積層する表裏側重合部４ｂ、４ｃとで構成されているが、表裏側重合部４ｂ、４ｃは、ドアパネル３の表裏面板３ａ、３ｂに対して段差Ｄを存する状態で設けられている。また第二エッジ部材５は、戸先パネル１の戸尻側端縁部（ドアパネル３側端縁部）に対向する状態で戸尻側に突出する凸部（見込部）５ａと、戸先パネル１の表裏面板１ａ、１ｂにそれぞれ重合する状態で積層する表裏側重合部５ｂ、５ｃとで構成されているが、表裏側重合部５ｂ、５ｃは、戸先パネル１の表裏面板１ａ、１ｂに対して段差Ｄを存する状態で設けられている。尚、本実施の形態は、便宜上、室外側面を表面、室内側面を裏面として説明しているが、これに限定されないものであることは言うまでもない。
【００１０】
そしてドアパネル３の裏面板３ｂ側には、本発明の錠装置Ｌの構成部材であるスライドボルト６が取付けられ、戸先パネル１の裏面板１ｂ側には同じくストライク７が取付けられたものになっているが、スライドボルト６は、ベース部６ａに対して室内側に配設される状態で左右スライド移動自在に設けられ、ストライク７はベース部７ａに対して室内側に突出する状態で設けられ、そして錠装置Ｌは、ドアパネル３を閉鎖した状態で戸先パネル１側にスライド移動したスライドボルト６がストライク７に外嵌係合することにより施錠する構成になっている。
【００１１】
ここでストライク７は、ベース部７ａが後述するようビス７ｂを介して戸先パネル１の裏面板１ｂに固定される一方、スライドボルト６は、ドアパネル３の表面板３ａに配設される手掛け８と共にドアパネル３に一体的に取付けられるようになっている。つまり手掛け８側のベース部８ａとスライドボルト６側のベース部６ａは、後述するようにドアパネル３の表裏面板３ａ、３ｂに当てがわれた状態で対向配設されたものが、各ベース部６ａ、８ａ側からそれぞれ挿入され、ドアパネル３を貫通する状態で設けらた雄雌螺子６ｂ、８ｂ同士を互いに螺合するようになっており、該螺合することによってスライドボルト６および手掛け８は後述するようにドアパネル３に組み付けられるようになっている。
【００１２】
９、１０、１１は本発明を実施する第一、第二、第三のスペーサーであって、そのうちの第一スペーサー９は、前記スライドボルト６のベース部６ａに対して上下方向および戸尻側方向に延出する、つまり該ベース部６ａの周縁から延出する延出部９ｂが形成される状態でドアパネル３の裏面板３ｂに当てがわれるようにして設けられるものであるが、第一スペーサー９は、前記段差Ｄと同じ厚さに設定されることで段差Ｄを吸収すると共に、戸先パネル１側の端縁９ａが、第一エッジ部材４の裏側重合部４ｃの戸尻側端縁４ｄに当接するようにして配され、これによって第一エッジ部材４の裏側重合部４ｃと第一スペーサー９とは面一状になるように設定されている。
また第三スペーサー１１は、前記手掛け８のベース部８ａに対して上下方向および戸先、戸尻側の各両方向に延出する、つまり該ベース部８ａの周縁から延出部１１ｂが延出する状態でドアパネル３の表面板３ａに当てがわれるようにして設けられるものであるが、第三スペーサー１１は、前記段差Ｄよりも僅かに薄い厚さに設定されることで段差Ｄの一部を吸収すると共に、戸先パネル１側の端縁１１ａが、第一エッジ部材４の表側重合部４ｂの戸尻側端縁４ｅに当接するようにして配され、これによって第三スペーサー１１は第一エッジ部材４の表側重合部４ｂに対し、僅かに低くなる状態で設けられている。
【００１３】
一方、第二スペーサー１０は、前記ストライク７のベース部７ａに対して周縁から殆どはみ出すことがない状態で戸先パネル１の裏面板１ｂに当てがわれるものであるが、該第二スペーサー１０は、前記段差Ｄと同じ厚さに設定されることで前記段差Ｄを吸収すると共に、ドアパネル３側の端縁１０ａが、第二エッジ部材５の裏側重合部５ｃの戸先側端縁５ｄに当接するようにして配され、これによって第二エッジ部材５の裏側重合部５ｃと第二スペーサー１０とは面一状になるように設定されている。
【００１４】
そしてこのように設定された第一、第二、第三スペーサー９、１０、１１のうち、第一スペーサー９は、端縁９ａが第一エッジ部材４の裏側重合部４ｃの戸尻側端縁４ｄに当接する状態でスライドボルト６のベース部６ａとドアパネル３の裏面板３ｂとのあいだに挟持され、また第三スペーサー１１は、端縁１１ａが第一エッジ部材４の表側重合部４ｂの戸尻側端縁４ｅに当接する状態で手掛け８のベース部８ａとドアパネル３の表面板３ａとのあいだに挟持された状態で前記雄雌螺子６ｂ、８ｂの螺合によってドアパネル３に共締め状態で組付けられることになるが、この場合に、スライドボルト６は、ベース部６ａが第一エッジ部材４の裏側重合部４ｃの戸尻側端縁４ｄを超えてドアパネル３の裏面板３ｂの裏側重合部４ｃ積層位置、本実施の形態では、ドアパネル３の戸先側端縁３ｃ位置にまで偏倚した状態で取付けられている。
因みに本実施の形態では、第一エッジ部材４の凸部４ａと裏側重合部４ｃとのあいだの境界であるコーナー部（折曲部）４ｆがドアパネル３の戸先側端縁３ｃよりも戸先側に偏倚したものとなっているため、スライドボルト６のベース部６ａは、スライドボルト６が第二エッジ部材５に干渉しない範囲においてこのコーナー部４ｆまで偏倚した位置までの取り付けが可能となった構成になっている。このことは、第二エッジ部材５側においても同様であって、ストライク７のベース部７ａを、第二エッジ部材５の凸部５ａと裏側重合部５ｃとのコーナー部５ｆまで偏倚した位置までの取り付けが可能となる。
そして本実施の場合において、手掛け８は、第一エッジ部材４の表側重合部４ｂの戸尻側端縁４ｅよりも戸尻側に位置する状態で組み付けられ、これによって第三スペーサー１１は、手掛け８のベース部８ａの周縁に対して上下、左右方向に延出する状態で組み付けられている。
【００１５】
叙述の如く構成された本発明の実施の形態において、トイレブースＴの構成部材であるドアパネル３の裏面板３ｂには、第一エッジ部材４の裏側重合部４ｃが段差Ｄを存する状態で設けられ、この部位にスライドボルト６が組み付けられることになるが、該スライドボルト６のベース部６ａは、前記段差Ｄを吸収する状態でドアパネル３の裏面板３ｂに設けられた第一スペーサー９に組み付けられるものであるため、該ベース部６ａは、第一エッジ材４の裏側重合部４ｃの戸尻側端縁４ｄまででなく、これを超えた第一エッジ部材４の裏側重合部４ｃ配設位置まで偏倚した組み付けができることになって、この偏倚した分、スライドボルト６の戸先側へのスライド位置を偏倚させることができ、このため、スライドボルト６のスライドストロークが短くストライク７に対する係合不足があるものに対して補完ができ、スライドボルト６の係合を確実なものにできることになる。
この場合において第一スペーサー９は、裏側重合部４ｃの段差Ｄと同厚に設定されているため、第一スペーサー９と裏側重合部４ｃとは面一状になり、この結果、スライドボルト６のベース部６ａは、隙間の無い状態で裏側重合部４ｃまでの組付けが可能になり、組付け性が損なわれることがない。
【００１６】
この場合において第一スペーサー９は、ベース部６ａの周縁から延出していてドアパネル３の裏面側から露出する状態になっているため、スライドボルト６を操作する人の操作手の指先（特に爪）がドアパネル３の裏面板３ｂに当接する位置にあっても、該指先は、前記延出部に当接することになって該裏面板３ｂに当接することがなく、このため該裏面板３ｂが当接する指先によって傷つけられてしまうことを防止できることになる。
【００１７】
一方、ストライク７についても、第二エッジ部材５の裏側重合部５ｃの段差Ｄを吸収する状態で戸先パネル１の裏面板１ｂに設けられた第二スペーサー１０に組み付けられるものであるため、ベース部７ａは、戸先パネル１の裏面板１ｂの戸尻側端縁１ｃまででなく、これを超えた第二エッジ部材５の裏側重合部５ｃ配設位置まで偏倚した組み付けができることになって、この偏倚した分、ストライク７をスライドボルト６に近接させることができ、このため、スライドボルト６のスライドストロークが短くストライク７に対する係合不足があるものに対しての補完ができ、スライドボルト６の係合を確実なものにできることになる。
【００１８】
またこのものでは、ドアパネル３の表面板３ａには、該ドアパネル３を室外側に開放操作するための手掛け８が設けられたものであるが、ドアパネル３の表面板にもうけた第三スペーサー１１のベース部８ａ周縁からの延出部が、手掛け８を把持してドアパネル３の開放操作をするための人の操作手の指先（特に爪）がドアパネル３の表面板３ａに直接当接するのを防止することになって、該表面板３ａの保護が図れることになる。
【００１９】
尚、本発明は前記実施の形態に限定されるものでないことは勿論であって、各エッジ部材４、５の重合部４ｂ、４ｃ、５ｃの段差Ｄは同じであっても異なっていてもよく、また第一、第二スペーサー９、１０の厚さは、重合部４ｃ、５ｃの段差Ｄを吸収するものであればよいものであって、段差Ｄと同じ厚さである必要は必ずしもなく、ベース部６ａ、７ａを重合部４ｃ、５ｃにまで至る状態で組み付けることができるものであれば段差Ｄよりも厚くてもよいものである。さらには、第一、第二各スペーサー９、１０の端縁９ａ、１０ａは必ずしも重合部４ｃ、５ｃの端縁４ｄ、５ｄに当接する必要はなく、ベース部６ａ、７ａが重合部４ｃ、５ｃに殆ど段差がない状態で至るように構成されたものであればよい。また本発明は、各スペーサー９、１０、１１としては、第二スペーサー１０のようにベース部７ａから延出する延出部がないものとしても実施することができ、ベース部から延出する延出部があるものについて、その延出方向は、例えば上方のみ、下方のみ、上下両方等、適宜の方向に延出したものとして実施することができる。
【００２０】
また本発明は、ドアパネル３が非使用時に室内側に半開扉状態となるものである場合、手掛け８は必ずしも必要がなく、このような場合には、図５に示す第二の実施の形態のように、手掛け８がない構成のものとしても実施することができ、この場合、スライドボルト６は単にビス６ｃを介して固定されたものとして実施することができる。
【産業上の利用可能性】
【００２１】
本発明は、トイレブースの出入口等の開口部に設けられる開き戸用のドアパネルの錠装置として利用することができる。
【符号の説明】
【００２２】
１  戸先パネル
１ｂ  裏面板
１ｃ  戸尻側端縁
３  ドアパネル
３ａ  表面板
３ｂ  裏面板
３ｃ  戸先側端縁
４  第一エッジ部材
４ａ  凸部
４ｂ  表側重合部
４ｃ  裏側重合部
４ｄ、４ｅ  戸尻側端縁
５  第二エッジ部材
５ａ  凸部
５ｃ  裏側重合部
５ｄ  戸先側端縁
６  スライドボルト
６ａ  ベース部
７  ストライク
７ａ  ベース部
８  手掛け
８ａ  ベース部
９  第一スペーサー
９ａ  端縁
９ｂ  延出部
１０  第二スペーサー
１０ａ  端縁
１１  第三スペーサー
１１ａ  端縁
１１ｂ  延出部
Ｄ  段差
Ｌ  錠装置
Ｔ  トイレブース
【図１】
2019027100.tif 000003
【図２】
2019027100.tif 000004
【図３】
2019027100.tif 000005
【図４】
2019027100.tif 000006
【図５】
2019027100.tif 000007